(57)【要約】【課題】  より汎用的にプロジェクタ等の表示装置を制御することが可能な表示システム等を提供すること。【解決手段】  ＰＣ２００と、ＰＣ２００と画像ケーブル４００を介して接続されたプロジェクタ１００を含む表示システムにおいて、ＰＣ２００が、プロジェクタ１００を制御するための制御情報を画像情報の一部として生成する制御情報生成部２４２と、前記制御情報を含む画像情報を、画像ケーブル４００を介してプロジェクタ１００に出力する出力部２９０を含み、プロジェクタ１００が、画像ケーブル４００を介して前記画像情報を入力する入力部１１０と、前記画像情報から前記制御情報を検出する検出部１４０と、前記制御情報に基づく制御を行う制御部１５０を含んで構成される。【選択図】      図１
2009092999.tif 000002
【特許請求の範囲】
【請求項１】
画像供給装置と、当該画像供給装置と画像ケーブルを介して接続された表示装置とを含む表示システムにおいて、
前記画像供給装置は、
前記表示装置を制御するための制御情報を画像情報の一部として生成する制御情報生成部と、
前記制御情報を含む画像情報を、前記画像ケーブルを介して前記表示装置に出力する出力部と、
を含み、
前記表示装置は、
前記画像ケーブルを介して前記画像情報を入力する入力部と、
前記画像情報から前記制御情報を検出する検出部と、
前記制御情報に基づく制御を行う制御部と、
を含むことを特徴とする表示システム。
【請求項２】
請求項１に記載の表示システムにおいて、
前記制御情報生成部は、前記制御情報として、画像化した情報を生成することを特徴とする表示システム。
【請求項３】
請求項１、２のいずれかに記載の表示システムにおいて、
前記表示装置は、前記画像情報に基づき、制御画像を表示する表示部を含み、
前記画像供給装置は、前記制御画像が表示された状態における制御指示を入力する指示入力部を含み、
前記制御情報生成部は、前記制御指示に基づき、前記制御画像を表示するための画像情報の一部として前記制御情報を生成することを特徴とする表示システム。
【請求項４】
請求項１〜３のいずれかに記載の表示システムにおいて、
前記画像供給装置は、前記画像情報に基づき、画像の内容を判定する判定部を含み、
前記制御情報生成部は、前記画像の内容に応じて前記制御情報を生成することを特徴とする表示システム。
【請求項５】
請求項１〜４のいずれかに記載の表示システムにおいて、
前記制御情報生成部は、前記制御情報として、制御内容を示す情報と、識別情報とを含む情報を生成し、
前記検出部は、前記識別情報に基づき、検出済みの制御情報であるかどうかを判定し、
前記制御部は、検出済みの制御情報である場合は前記制御を行わず、検出済みの制御情報でない場合は前記制御を行うことを特徴とする表示システム。
【請求項６】
画像供給装置と画像ケーブルを介して接続された表示装置を制御する制御方法において、
前記画像供給装置は、
前記表示装置を制御するための制御情報を画像情報の一部として生成し、
前記制御情報を含む画像情報を、前記画像ケーブルを介して前記表示装置に出力し、
前記表示装置は、
前記画像ケーブルを介して前記画像情報を入力し、
前記画像情報から前記制御情報を検出し、
前記制御情報に基づく制御を行うことを特徴とする制御方法。
【発明の詳細な説明】
【技術分野】
【０００１】
本発明は、表示システムおよび制御方法に関する。
【背景技術】
【０００２】
例えば、特開２００３−１９８９９４号公報では、プロジェクタとＰＣ(Personal Computer)を、ＵＳＢケーブルで接続し、ＰＣを用いてプロジェクタを制御することが記載されている。
【特許文献１】特開２００３−１９８９９４号公報
【発明の開示】
【発明が解決しようとする課題】
【０００３】
しかし、プロジェクタによってはＵＳＢインターフェースが設けられていない場合があり、ＰＣ等が、ＵＳＢケーブルや無線通信等を用いてプロジェクタ等の表示装置を制御することができない場合がある。
【０００４】
本発明の目的は、より汎用的にプロジェクタ等の表示装置を制御することが可能な表示システムおよび制御方法を提供することにある。
【課題を解決するための手段】
【０００５】
上記課題を解決するため、本発明に係る表示システムは、画像供給装置と、当該画像供給装置と画像ケーブルを介して接続された表示装置とを含む表示システムにおいて、前記画像供給装置は、前記表示装置を制御するための制御情報を画像情報の一部として生成する制御情報生成部と、前記制御情報を含む画像情報を、前記画像ケーブルを介して前記表示装置に出力する出力部と、を含み、前記表示装置は、前記画像ケーブルを介して前記画像情報を入力する入力部と、前記画像情報から前記制御情報を検出する検出部と、前記制御情報に基づく制御を行う制御部と、を含むことを特徴とする。
【０００６】
また、本発明に係る制御方法は、画像供給装置と画像ケーブルを介して接続された表示装置を制御する制御方法において、前記画像供給装置は、前記表示装置を制御するための制御情報を画像情報の一部として生成し、前記制御情報を含む画像情報を、前記画像ケーブルを介して前記表示装置に出力し、前記表示装置は、前記画像ケーブルを介して前記画像情報を入力し、前記画像情報から前記制御情報を検出し、前記制御情報に基づく制御を行うことを特徴とする。
【０００７】
本発明によれば、表示システム等は、画像ケーブルのみを用いた制御を行うことができるため、より汎用的にプロジェクタ等の表示装置を制御することができる。
【０００８】
また、前記制御情報生成部は、前記制御情報として、画像化した情報を生成してもよい。
【０００９】
これによれば、制御情報生成部は、画像ケーブルのみを用いた制御を行うことができるため、より汎用的にプロジェクタ等の表示装置を制御することができる。
【００１０】
また、前記表示装置は、前記画像情報に基づき、制御画像を表示する表示部を含み、前記画像供給装置は、前記制御画像が表示された状態における制御指示を入力する指示入力部を含み、前記制御情報生成部は、前記制御指示に基づき、前記制御画像を表示するための画像情報の一部として前記制御情報を生成してもよい。
【００１１】
これによれば、表示システム等は、制御指示に応じて表示装置を制御することができる。
【００１２】
また、前記画像供給装置は、前記画像情報に基づき、画像の内容を判定する判定部を含み、前記制御情報生成部は、前記画像の内容に応じて前記制御情報を生成してもよい。
【００１３】
これによれば、表示システム等は、画像の内容に応じて表示装置を制御することができる。
【００１４】
また、前記制御情報生成部は、前記制御情報として、制御内容を示す情報と、識別情報とを含む情報を生成し、前記検出部は、前記識別情報に基づき、検出済みの制御情報であるかどうかを判定し、前記制御部は、検出済みの制御情報である場合は前記制御を行わず、検出済みの制御情報でない場合は前記制御を行ってもよい。
【００１５】
これによれば、表示システム等は、同じ制御を重複して行う事態の発生を防止することができ、適切な制御を行うことができる。
【発明を実施するための最良の形態】
【００１６】
以下、本発明をＰＣとプロジェクタを用いた表示システムに適用した実施例について、図面を参照しつつ説明する。なお、以下に示す実施例は、特許請求の範囲に記載された発明の内容を何ら限定するものではない。また、以下の実施例に示す構成のすべてが、特許請求の範囲に記載された発明の解決手段として必須であるとは限らない。
【００１７】
（第１の実施例）
図１は、第１の実施例における表示システムの機能ブロック図である。表示システムは、画像供給装置の一種であるＰＣ２００と、ＰＣ２００と画像ケーブル４００を介して接続される表示装置の一種であるプロジェクタ１００を含んで構成されている。
【００１８】
ＰＣ２００は、ユーザによる制御指示を入力する指示入力部２１０と、画像データ２２１等を記憶する記憶部２２０と、画像情報を一時的に記憶するＶＲＡＭ２５０と、制御情報を生成する制御情報生成部２４２を含み、画像情報等を生成する情報生成部２４０と、画像情報を、画像ケーブル４００を介してプロジェクタ１００に出力する出力部２９０を含んで構成されている。
【００１９】
また、プロジェクタ１００は、画像ケーブル４００を介して画像情報を入力する入力部１１０と、画像情報を一時的に記憶するＶＲＡＭ１２０と、画像情報から制御情報を検出する検出部１４０と、制御情報に基づく制御を行う制御部１５０と、画像情報に基づき、画像を生成する画像生成部１３０と、画像を表示する表示部の一種であり、画像を投写する投写部１９０を含んで構成されている。
【００２０】
なお、これらの各部は、例えば、以下のハードウェアを用いて実装されてもよい。例えば、指示入力部２１０としてはキーボード、マウス等、記憶部２２０としてはＨＤＤ等、情報生成部２４０としてはＣＰＵ、画像処理回路等、出力部２９０としては画像出力端子、エンコーダ、ＤＡコンバータ等、入力部１１０としては画像入力端子、デコーダ、ＡＤコンバータ等、画像生成部１３０としては画像処理回路等、検出部１４０、制御部１５０としてはＣＰＵ等、投写部１９０としてはランプ、液晶パネル、駆動回路、投写レンズ等が採用されてもよい。
【００２１】
また、画像ケーブル４００としては、具体的には、例えば、Ｄ−ｓｕｂ１５ピン用のケーブル、コンポジット端子用のケーブル、Ｓ端子用のケーブル、Ｄ端子用のケーブル、ＨＤＭＩ端子用のケーブル、ＤＶＩ端子用のケーブル等が該当する。
【００２２】
次に、これらの各部を用いたプロジェクタ１００の制御手順について説明する。図２は、第１の実施例における制御手順を示すフローチャートである。制御情報生成部２４２は、指示入力部２１０からの情報に基づき、指示入力部２１０に対してユーザによる制御指示があったかどうかを判定する（ステップＳ１）。
【００２３】
図３は、第１の実施例における制御画像３００の一例を示す図である。例えば、ユーザから制御画像３００の投写指示があった場合、プロジェクタ１００は、制御画像３００を投写し、ユーザに制御を促す。なお、プロジェクタ１００に対する制御の内容としては、画像の色の調整に関する「カラーモード」、画像の明るさの調整に関する「明るさ」、画像を非表示にし、音声を出力しないことを示す「Ａ／Ｖミュート」、電源をオフにすることを示す「電源オフ」、画像入力ソースの切り替え、音量の調整、画像の形状の変更（台形歪み補正）、画像のアスペクト比の変更、ズームの変更、投写レンズの絞りの変更等が該当する。
【００２４】
例えば、制御画像３００が投写された状態で、ユーザが「カラーモード」を「シアター」から「プレゼンテーション」に変更する制御指示を行った場合、制御情報生成部２４２は、当該制御指示内容を示す制御情報を２次元コード化して生成し（ステップＳ２）、当該制御情報をＶＲＡＭ２５０内の画像に書き込む（ステップＳ３）。例えば、ＶＲＡＭ２５０内の画像が制御画像３００である場合、図３に示すように、制御画像３００内の文字等のない部分に２次元コード画像３１０が書き込まれる。
【００２５】
情報生成部２４０は、当該制御画像３００を投写させるための画像情報（例えば、ＶＲＡＭ２５０内の画像をビット列に変換した情報等）を生成し、出力部２９０は、当該画像情報を、画像ケーブル４００を介してプロジェクタ１００に出力する（ステップＳ４）。
【００２６】
入力部１１０は、当該画像情報をＰＣ２００から入力し（ステップＳ５）、ＶＲＡＭ１２０に画像として書き込む。検出部１４０は、ＶＲＡＭ１２０に書き込まれた画像に２次元コードが含まれているかどうかを判定することにより、制御情報の有無を判定する（ステップＳ６）。
【００２７】
検出部１４０は、画像に２次元コードが含まれている場合、当該２次元コードを制御情報に変換し、制御部１５０は、制御情報に基づき、制御を行う（ステップＳ７）。例えば、制御部１５０は、制御情報がカラーモードの変更を示す情報である場合、画像生成部１３０を制御してカラーモードの設定を変更する。
【００２８】
なお、画像情報に制御情報が含まれていない場合、制御部１５０は制御を行わない。例えば、制御指示がなかった場合、情報生成部２４０は、画像データ２２１に基づき、制御情報を含まない画像情報を生成し、出力部２９０は、当該画像情報をプロジェクタ１００に出力する。この場合、画像情報には制御情報は含まれない。
【００２９】
画像生成部１３０は、画像情報に基づき、画像を生成し、投写部１９０は、画像を投写する（ステップＳ８）。これにより、制御画像３００等が投写される。
【００３０】
以上のように、本実施例によれば、表示システムは、制御情報を２次元コード化して画像情報の一部とすることにより、画像ケーブル４００を介して制御情報を入出力することができる。これにより、表示システムは、画像ケーブル４００のみを用いたプロジェクタ１００の制御を行うことができるため、より汎用的にプロジェクタ１００を制御することができる。
【００３１】
また、本実施例によれば、表示システムは、画像情報の一部として制御情報を生成することにより、制御情報を画像情報とは別のパケットにしたりすることによる情報量の増加を抑制できる。また、本実施例によれば、表示システムは、ユーザの制御指示に応じてプロジェクタ１００を制御することができるため、種々の制御を行うことができる。
【００３２】
また、本実施例によれば、制御情報は２次元コードとして画像化されているため、検出部１４０として簡易な構成の画像処理回路を適用することができる。また、これにより、制御情報を画像情報に付加する場合と比べ、検出部１４０の構成を簡略化し、検出部１４０がより確実に制御情報（２次元コード）を検出でき、プロジェクタ１００が効率的に制御を行うことができる。
【００３３】
（第２の実施例）
第１の実施例では、ユーザの制御指示に応じて制御情報を生成したが、画像データ２２１や画像情報の内容に応じて制御情報を生成してもよい。次に、画像データ２２１の内容に応じて制御情報を生成する実施例について説明する。
【００３４】
図４は、第２の実施例における表示システムの機能ブロック図である。ＰＣ２０１は、情報生成部２４１を含み、情報生成部２４１は、画像データ２２１の内容に応じて制御情報を画像データ２２１に書き込んだ編集画像データ２２２を生成する制御情報生成部２４３を含んで構成されている。また、ＰＣ２０１には指示入力部２１０は設けられていない。その他の構成は第１の実施例と同様であるため、詳細な説明は省略する。
【００３５】
次に、これらの各部を用いたプロジェクタ１００の制御手順について説明する。図５は、第２の実施例における制御手順を示すフローチャートである。制御情報生成部２４３は、画像データ２２１に基づき、画像の内容を判定する（ステップＳ１１）。具体的には、例えば、制御情報生成部２４３は、画像データ２２１が動画データである場合、経過時間に応じた輝度ヒストグラムの変化を判定する。
【００３６】
また、制御情報生成部２４３は、画像データ２２１の画像の内容に応じて２次元コードで制御情報を生成し（ステップＳ１２）、制御情報を含む編集画像データ２２２を生成する（ステップＳ１３）。
【００３７】
具体的には、例えば、制御情報生成部２４３は、画像データ２２１で表される動画の再生経過時間が０〜１０分の間は明るさを１０に設定し、再生経過時間が１０〜２０分の間は明るさを２０に設定し、再生経過時間が２０〜３０分の間は明るさを１０に設定する制御情報を画像データ２２１に書き込む。
【００３８】
図６は、第２の実施例における画像３２０の一例を示す図である。例えば、画像データ２２１が動画像３３０を表示するためのデータである場合、制御情報生成部２４３は、例えば、いわゆるタイトルバーの部分に制御情報を２次元コード化した２次元コード画像３１１を書き込み、編集画像データ２２２として記憶部２２０に記憶する。なお、画像データ２２１が画像３２０を表示するためのデータである場合、制御情報生成部２４３は、例えば、いわゆるタスクバーの部分に制御情報を２次元コード化した２次元コード画像３１２を書き込んでもよい。
【００３９】
編集画像データ２２２が生成された後、動画像３３０の再生指示があった場合、情報生成部２４１は、編集画像データ２２２に基づき、画像情報を生成する（ステップＳ１４）。出力部２９０は、当該画像情報を、画像ケーブル４００を介してプロジェクタ１００に出力する（ステップＳ４）。以降の処理は第１の実施例と同様であるため、説明を省略する。
【００４０】
以上のように、本実施例によれば、表示システムは、画像の内容に応じてプロジェクタ１００を自動的に制御することができる。
【００４１】
（その他の実施例）
なお、本発明の適用は上述した実施例に限定されず、種々の変形が可能である。例えば、制御情報生成部２４２、２４３は、制御情報として、制御内容を示す情報と、識別情報とを含む情報を生成し、検出部１４０は、識別情報に基づき、検出済みの制御情報であるかどうかを判定し、制御部１５０は、検出済みの制御情報である場合は制御を行わず、検出済みの制御情報でない場合は制御を行ってもよい。
【００４２】
これによれば、表示システムは、同じ制御を重複して行う事態の発生を防止することができ、適切な制御を行うことができる。具体的には、例えば、第２の実施例において、表示システムは、動画像３３０を再生するために画像情報の入出力を行うと、同じ制御情報を含む画像情報が複数回入出力されることになる。このような場合、制御情報に識別情報が含まれていれば、プロジェクタ１００は、検出済みの制御情報であるかどうかを判定することができる。
【００４３】
なお、制御情報生成部２４２、２４３は、制御内容を変更する場合のみ制御情報を生成してもよい。しかし、例えば、制御情報が１フレームの画像情報に書き込まれる手法の場合、当該画像情報の入出力に失敗すると制御情報がプロジェクタ１００に伝達されないため、制御情報が複数フレームの画像情報に書き込まれ、識別情報で判定する手法のほうが伝達の確実性の点で有利である。
【００４４】
また、第２の実施例では、ＰＣ２００は、一旦編集画像データ２２２を生成してから画像情報を生成しているが、例えば、１フレームごとに画像の内容を判定してリアルタイムに制御情報を生成して画像に書き込んでもよい。
また、画像化された制御情報は、２次元コードには限定されず、例えば、文字列、図形、模様等であってもよい。
【００４５】
また、画像供給装置は、ＰＣ２００には限定されず、例えば、ＤＶＤプレーヤ、セットトップボックス、携帯電話、ゲーム装置等であってもよい。また、表示装置は、プロジェクタ１００には限定されず、例えば、液晶モニタ、テレビ等であってもよい。また、プロジェクタ１００は、液晶プロジェクタには限定されず、例えば、ＤＭＤ(Digital Micromirror Device)を用いたプロジェクタ等であってもよい。なお、ＤＭＤは米国テキサス・インスツルメンツ社の商標である。また、プロジェクタ１００やＰＣ２００の機能を複数の装置（例えば、ＰＣとプロジェクタ等）に分散して実装してもよい。
【図面の簡単な説明】
【００４６】
【図１】第１の実施例における表示システムの機能ブロック図である。
【図２】第１の実施例における制御手順を示すフローチャートである。
【図３】第１の実施例における制御画像の一例を示す図である。
【図４】第２の実施例における表示システムの機能ブロック図である。
【図５】第２の実施例における制御手順を示すフローチャートである。
【図６】第２の実施例における画像の一例を示す図である。
【符号の説明】
【００４７】
１００  プロジェクタ（表示装置）、１１０  入力部、１２０、２５０  ＶＲＡＭ、１３０  画像生成部、１４０  検出部、１５０  制御部、２００、２０１  ＰＣ（画像供給装置）、２１０  指示入力部、２２０  記憶部、２２１  画像データ、２２２  編集画像データ、２４０、２４１  情報生成部、２４２、２４３  制御情報生成部、２９０  出力部、３００  制御画像、３１０、３１１、３１２  ２次元コード画像、３２０  画像、３３０  動画像、４００  画像ケーブル
【図１】
2009092999.tif 000003
【図２】
2009092999.tif 000004
【図３】
2009092999.tif 000005
【図４】
2009092999.tif 000006
【図５】
2009092999.tif 000007
【図６】
2009092999.tif 000008